(57)【要約】【課題】撮像装置において、新規のパワーセーブモードにより消費電力をより低減する。【解決手段】スタンバイオフモード（ＳＴＢＹＯＦＦ）では、記録再生部の少なくとも一部の回路に電力を供給して、記録要求を待機する。ＶＴＲオフモード（ＳＡＶＥ１）では、電源部からモニタ系ブロックに電力を供給して、撮像画像のモニタ表示を行いながら、記録再生部へ電力を供給する電源回路を停止させるとともに、この記録再生部を制御するＶＴＲ制御系ブロックを、記録再生部の復帰動作に必要な処理のみ実行させたスリープモードで駆動する。このＶＴＲオフモード（ＳＡＶＥ１）では、たとえば、記録要求の待機状態が長時間継続したような場合において、スタンバイオフモード（ＳＴＢＹＯＦＦ）と比較して、記録動作開始までにはある程度の時間を要するものの、電力消費をより大きく抑制できる。【選択図】図２
2008147909.tif 000002
【特許請求の範囲】
【請求項１】
固体撮像素子を用いて画像を撮像する撮像装置において、
撮像により得られた撮像画像信号を記録信号として記録媒体に記録し、また、記録した信号を再生信号として読み出す記録再生部と、
前記記録再生部における記録動作および再生動作を制御する記録再生制御部と、
前記撮像画像信号を基にモニタ表示用の表示画像信号を生成するモニタ画像処理部と、
少なくとも前記記録再生部、前記記録再生制御部および前記モニタ画像処理部に対してそれぞれ独立に電力を供給する複数の電源回路を備えた電源部と、
前記電源部から前記モニタ画像処理部に電力を供給して前記表示画像信号を生成させながら、前記記録再生部へ電力を供給する前記電源回路を停止させ、前記記録再生制御部を前記記録再生部の復帰動作に必要な処理のみ実行させた状態で駆動するパワーセーブモードを含む、複数の動作モードに切り替えて前記電源部からの電力供給状態を制御するシステム制御部と、
を有することを特徴とする撮像装置。
【請求項２】
前記動作モードとして、前記記録再生制御部が通常動作するとともに、前記記録再生部の少なくとも一部の回路へ電力が供給される記録待機モードをさらに含むことを特徴とする請求項１記載の撮像装置。
【請求項３】
前記システム制御部は、前記記録待機モードにおいて、入力操作に応じた動作指示を一定時間受けなかった場合に、前記パワーセーブモードに遷移するように制御することを特徴とする請求項２記載の撮像装置。
【請求項４】
前記記録再生部は、磁気テープを用いて回転ドラムを介して信号の記録および再生を行うものであり、前記記録待機モードでは、前記回転ドラムおよび前記磁気テープのサーボ制御用回路がスリープモードで駆動され、前記パワーセーブモードでは、前記サーボ制御用回路を含む前記記録再生部の全体に対する電力供給が停止されることを特徴とする請求項２記載の撮像装置。
【請求項５】
前記動作モードとして、前記記録待機モードと比較して前記記録再生部内のより多くの回路に電力を供給しておき、前記記録動作の開始指令を受けると直ちに録画を開始する高速記録待機モードをさらに含み、
前記システム制御部は、前記高速記録待機モードにおいて、入力操作に応じた動作指示を所定の時間受けなかった場合に、前記記録待機モードに遷移するように制御することを特徴とする請求項２記載の撮像装置。
【請求項６】
前記記録再生部は、磁気テープを用いて回転ドラムを介して信号の記録および再生を行うものであり、前記高速記録待機モードでは、前記回転ドラムを回転させて記録動作を待機し、前記記録待機モードおよび前記パワーセーブモードでは、前記回転ドラムの回転を停止させることを特徴とする請求項５記載の撮像装置。
【請求項７】
前記システム制御部は、前記パワーセーブモードにおいて、前記記録動作の開始指令を受けると、前記高速記録待機モードに遷移させた後、前記記録再生部の記録動作を開始させることを特徴とする請求項５記載の撮像装置。
【請求項８】
前記動作モードとして、前記モニタ画像処理部に対する電力供給を停止し、前記システム制御部のみ動作する非表示パワーセーブモードをさらに含み、
前記システム制御部は、前記パワーセーブモードにおいて、入力操作に応じた動作指示を所定の時間受けなかった場合に、前記非表示パワーセーブモードに遷移するように制御することを特徴とする請求項１記載の撮像装置。
【請求項９】
前記電源回路は、それぞれ直流電圧変換回路からなることを特徴とする請求項１記載の撮像装置。
【請求項１０】
撮像装置が接続可能な画像記録再生装置において、
前記撮像装置からの撮像画像信号を記録信号として記録媒体に記録し、また、記録した信号を再生信号として読み出す記録再生部と、
前記記録再生部における記録動作および再生動作を制御する記録再生制御部と、
少なくとも前記記録再生部および前記記録再生制御部に対してそれぞれ独立に電力を供給する複数の電源回路を備えた電源部と、
前記撮像装置において撮像動作が継続されている状態で、前記記録再生部へ電力を供給する前記電源回路を停止させ、前記記録再生制御部を前記記録再生部の復帰動作に必要な処理のみ実行させた状態で駆動するパワーセーブモードを含む、複数の動作モードに切り替えて前記電源部からの電力供給状態を制御するシステム制御部と、
を有することを特徴とする画像記録再生装置。
【請求項１１】
固体撮像素子での撮像により得られた撮像画像信号を記録信号として記録媒体に記録し、また、記録した信号を再生信号として読み出す記録再生部と、前記撮像画像信号を基にモニタ表示用の表示画像信号を生成するモニタ画像処理部とを備えた撮像装置の電源制御方法において、
システム制御部が、
第１の電源回路から前記モニタ画像処理部に電力を供給させて前記表示画像信号を生成させながら、前記記録再生部へ電力を供給する第２の電源回路を停止させ、前記記録再生部における記録動作および再生動作を制御する記録再生制御部を前記記録再生部の復帰動作に必要な処理のみ実行させた状態で駆動するパワーセーブモードを含む複数の動作モードを切り替えて、前記撮像装置における電力供給状態を制御することを特徴とする電源制御方法。
【発明の詳細な説明】
【技術分野】
【０００１】
本発明は、撮像装置、画像記録再生装置、および撮像装置の電源制御方法に関し、特に、消費電力が低減されてバッテリ駆動にも適する撮像装置、画像記録再生装置、および撮像装置の電源制御方法に関する。
【背景技術】
【０００２】
近年、撮像部と記録再生部とが一体になったビデオカメラが広く使用されている。こうしたビデオカメラにより撮影を行う際には、まず、このビデオカメラをスタンバイ状態にして各回路を作動させ、その後にスタートボタンを押して映像信号記録部でビデオテープの走行を開始させるなどする。このように、スタートボタンの操作では直接各回路を動作させないで、一旦スタンバイ状態にしてから撮影を開始するようにして、スタートボタンを操作したとき直ちに撮影を開始でき、撮影タイミングを失するおそれがなくなる。
【０００３】
ところが、スタンバイ時での電力消費は撮影時の電力消費とほぼ同等であって、その時間が長くなると実際に撮影する際のバッテリの持続時間が短くなる。そこで、カメラスタンバイ時であっても、映像信号処理回路の電源をオフ状態とするスタンバイオフモードを導入することで、スタンバイ時の省電力化を図ることが考えられている（たとえば、特許文献１参照）。
【０００４】
また、別のパワーセーブ方法では、光学ヴューファインダを備えたビデオカメラにおいて、記録スタンバイ状態時には、録画スタートの指令の入力後、直ちに録画を開始するために必要な回路には電源を供給するが、カメラブロックにおける映像信号を生成する回路への電源は切り、消費電力の低減を図っている。また、録画スタンバイ状態時には、ＶＴＲ（Video Tape Recorder）ブロックにおける記録信号を生成する信号処理回路への電源も切るようにしている（たとえば、特許文献２参照）。
【特許文献１】特開平０３−１９１６８５号公報（第３頁−第４頁、第２図）
【特許文献２】特開平０６−２９２０６２号公報（段落番号〔００１７〕、第３図）
【発明の開示】
【発明が解決しようとする課題】
【０００５】
ところで、業務用のビデオカメラでは、たとえばスタジオ内でのテレビ番組制作時のように撮影開始にあたって緊急性が少ない場合、ニュース取材におけるＥＮＧ（Electronic News Gathering）撮影とは異なり、スタンバイモードが選択されて、モニタ画像の出力が行われているものの画像記録が行われない状態が長時間にわたって続く場合がある。このような状況では、従来のビデオカメラにおけるスタンバイオフモード以上に、十分に省電力化を図ることが望まれていた。
【０００６】
本発明はこのような点に鑑みてなされたものであり、消費電力のさらなる低減が可能な撮像装置、画像記録再生装置、および撮像装置の電源制御方法を提供することである。
【課題を解決するための手段】
【０００７】
本発明では上記問題を解決するために、固体撮像素子を用いて画像を撮像する撮像装置において、撮像により得られた撮像画像信号を記録信号として記録媒体に記録し、また、記録した信号を再生信号として読み出す記録再生部と、前記記録再生部における記録動作および再生動作を制御する記録再生制御部と、前記撮像画像信号を基にモニタ表示用の表示画像信号を生成するモニタ画像処理部と、少なくとも前記記録再生部、前記記録再生制御部および前記モニタ画像処理部に対してそれぞれ独立に電力を供給する複数の電源回路を備えた電源部と、前記電源部から前記モニタ画像処理部に電力を供給して前記表示画像信号を生成させながら、前記記録再生部へ電力を供給する前記電源回路を停止させ、前記記録再生制御部を前記記録再生部の復帰動作に必要な処理のみ実行させた状態で駆動するパワーセーブモードを含む、複数の動作モードに切り替えて前記電源部からの電力供給状態を制御するシステム制御部とを有することを特徴とする撮像装置が提供される。
【０００８】
このような撮像装置では、少なくとも記録再生部、記録再生制御部およびモニタ画像処理部に対してそれぞれ独立に電力を供給する複数の電源回路が電源部に設けられ、この電源部からの電力供給状態が、システム制御部によって複数の動作モードに切り替えられて制御される。その動作モードの一つとして、電源部からモニタ画像処理部に電力を供給して表示画像信号を生成させながら、記録再生部へ電力を供給する電源回路を停止させ、記録再生制御部を記録再生部の復帰動作に必要な処理のみ実行させた状態で駆動するパワーセーブモードが含まれる。パワーセーブモードでは、撮像された画像をモニタリング可能とされながらも、記録再生部への電力供給が停止され、この記録再生部を復帰させることが可能な記録再生制御部もスリープ状態で駆動される。これにより、記録動作開始までにはある程度の時間を要するが、電力消費が大きく抑制される。
【発明の効果】
【０００９】
本発明によれば、複数の動作モードの一つとしてパワーセーブモードが設けられ、このパワーセーブモードでは、撮像された画像をモニタリング可能とされながらも、記録再生部への電力供給が停止されて、この記録再生部を復帰させることが可能な記録再生制御部もスリープ状態で駆動されることで、記録動作開始までにはある程度の時間を要するものの、電力消費を大きく抑制することができ、たとえば録画要求の待機状態が長時間継続した場合などの電力消費を大幅に低減できる。
【発明を実施するための最良の形態】
【００１０】
以下、図面を参照してこの発明の実施の形態について説明する。なお、ここではカメラ一体型記録再生装置の一例として、磁気テープを用いた記録手段を備えるものとする。
図１は、実施の形態に係るカムコーダの主要構成を示すブロック図である。
【００１１】
カメラとＶＴＲとが一体に構成されたカムコーダでは、カメラヘッドブロック（ＣＨＢ）１、Ａ／Ｄ変換回路（ＡＤ）２およびデジタルカメラプロセッサ（ＤＣＰ）３によってカメラ信号処理部Ａ１が構成され、ビデオプロセッサ（ＶＰＲ）４、イコライザ／ＥＣＣ（Error Correcting Code）回路（ＥＱ／ＥＣＣ）５、およびドラムヘッド６によって、記録テープ７に対する記録再生部Ａ２が構成されている。
【００１２】
カメラ信号処理部Ａ１のカメラヘッドブロック（ＣＨＢ）１には、ＣＣＤ（Charge Coupled Devices）や光学系部品が含まれ、このブロックは、結像した画像を電気的な映像信号に変換して、Ａ／Ｄ変換回路（ＡＤ）２に出力する。
【００１３】
デジタルカメラプロセッサ（ＤＣＰ）３は、映像信号に補正、補償などを加えて、いわゆる４：２：２モードのＹＣ（輝度／色差）信号などの所定フォーマットのデジタル映像信号になるように処理している。ここでは、Ａ／Ｄ変換回路（ＡＤ）２から１０ビットあるいは１２ビットでデジタル映像信号（ＬＶＤＳ；Low Voltage Differential Signaling）が入力され、この信号をシリアル変換したフレーム単位の画像信号（Ｓ−ＬＶＤＳ）が記録再生部Ａ２のビデオプロセッサ（ＶＰＲ）４に出力される。
【００１４】
記録再生部Ａ２のビデオプロセッサ（ＶＰＲ）４は、メモリＰＲ，ＭＹを使用して、画像の動き補償処理を含む、ＭＰＥＧ（Moving Picture Experts Group）方式などに従ったエンコード処理およびデコード処理を行っている。
【００１５】
イコライザ／ＥＣＣ回路（ＥＱ／ＥＣＣ）５は、記録再生信号に適応的なイコライジング処理を施して特性補償を行うフィルタ回路や、エラー訂正処理回路、ドラムヘッド６の回転を制御するための制御回路などから構成される。
【００１６】
カメラ信号処理部Ａ１を制御するカメラコントロール部Ａ３は、カメラコントローラ（ＡＴ）８およびビデオＤ／Ａコンバータ（ＶＤＡ）９から構成されている。カメラコントローラ（ＡＴ）８は、カメラヘッドブロック（ＣＨＢ）１でのレンズフォーカスやズーム制御、デジタルカメラプロセッサ（ＤＣＰ）３での画質制御、露出制御、ホワイトバランス制御などを行っている。また、カメラコントローラ（ＡＴ）８は、このカムコーダ全体を制御するメイン制御部としても機能し、後述するように、このカムコーダ全体において消費電力を低減するためのモード制御機能も備えている。また、カメラコントローラ（ＡＴ）８には内部パネル８ａを介して各種端末装置などが接続される。
【００１７】
ビデオＤ／Ａ変換回路（ＶＤＡ）９は、デジタルカメラプロセッサ（ＤＣＰ）３で処理された画像信号を受け取って、ヴューファインダなどにモニタ映像を映し出すための映像信号を出力している。また、ビデオＤ／Ａコンバータ（ＶＤＡ）９には、外部機器を接続するコネクタＣＮを介して、オーディオ入力などのためのカメラアダプタ（ＣＡ）９ａが接続されている。なお、カメラアダプタ（ＣＡ）９ａから入力されたアナログオーディオ信号は、システムコントローラ（ＳＡ）１０にも供給できるように構成されている。
【００１８】
ＶＴＲ側のシステムコントロール部Ａ４は、システム／オーディオコントローラ（ＳＡ）１０、サーボコントローラ（ＳＶ）１１、センサ回路１２、メカデッキ（ＭＤ）１３、コネクタパネル１４、ブルートゥース端子１５ａを介して遠隔操作するコントロールパネル１５、および主電源（ＰＳ）１６などから構成されている。
【００１９】
主電源（ＰＳ）１６には図示しない電源スイッチが設けられ、それぞれ複数のＤＣ／ＤＣコンバータが設けられたレギュレータ１７ａ，１７ｂが接続されている。ここで、各ブロックＡ１〜Ａ４への電源供給は、後述する図２の動作モード別にオンオフ制御される。
【００２０】
また、システム／オーディオコントローラ（ＳＡ）１０では、コネクタパネル１４を介して各種のスイッチ類からの信号が入力され、ビデオプロセッサ（ＶＰＲ）４に対する制御を行っている。さらに、カメラコントローラ（ＡＴ）８を介してカメラ側を制御している。なお、サーボコントローラ（ＳＶ）１１は複数のモータドライバを備え、メカデッキ（ＭＤ）１３による記録テープ７の走行制御を行っている。
【００２１】
つぎに、カムコーダの主電源（ＰＳ）１６に設定される各動作電力モードについて説明する。
図２は、カムコーダの動作モード別の電力供給状況を示す図である。
【００２２】
最初に、録画モード、再生モード、スタンバイモード、およびスタンバイオフモードについて説明する。図中の×印は電源供給がない回路ブロック、○印は電源供給されている回路ブロックを示している。なお、図２の右端に示す「ＯＦＦ」は、電源オフ状態を示す欄である。また、カムコーダを構成する回路は、主電源系ブロック、モニタ系ブロック、カメラ画像系ブロック、ＶＴＲ制御系ブロック、ＶＴＲ系ブロック、オーディオ系ブロック、ドラムブロック、録再共用系ブロック、再生系ブロック、記録系ブロックに区分される。
【００２３】
［録画モード：ＲＥＣ］
カムコーダで録画を行う動作モードである。この録画モードでは、撮像画像信号および音声信号が磁気テープに記録されるとともに、ヴューファインダなどにモニタ映像（カメラＥＥ画像。ＥＥ：Electric to Electric）が映し出される。このとき、再生系の回路ブロックであるビデオプロセッサ（ＶＰＲ）４の画像デコード回路、音声信号再生回路、およびイコライザ／ＥＣＣ回路（ＥＱ／ＥＣＣ）５の再生画像出力回路などへの電源供給が停止される。
【００２４】
［再生モード：ＰＢ］
記録テープ７に記録された映像音声を再生する動作モードである。この再生モードでは、記録系回路ブロックであるビデオプロセッサ（ＶＰＲ）４の画像エンコード回路、音声信号入力回路、およびイコライザ／ＥＣＣ回路（ＥＱ／ＥＣＣ）５の記録画像入力回路などへの電源供給は停止され、カメラヘッドブロック（ＣＨＢ）１からのモニタ映像（カメラＥＥ画像）系統の電源がセーブ状態となって、記録再生部Ａ２からの再生画像（ＰＢ：Play Back）系統のみが通常動作される。また、サーボコントローラ（ＳＶ）１１からは、メカデッキ（ＭＤ）１３に対するＦＦ（早送り），ＲＥＷ（巻き戻し），ＰＡＵＳＥ（一時停止）を指令するための各回路への電源供給が停止される。
【００２５】
［スタンバイモード：ＳＴＢＹ］
カムコーダで録画、再生動作を準備する動作モードであり、録画中または再生中にコントロールパネル１５に設けられたストップボタンなどを操作することによりこの動作モードに切り替わる。ここでは、上述した録画モード時、および再生モード時にそれぞれ停止されている各回路ブロックへの電源供給が、両方とも停止される。
【００２６】
ただし、ビデオプロセッサ（ＶＰＲ）４とイコライザ／ＥＣＣ回路（ＥＱ／ＥＣＣ）５を制御するシステム／オーディオコントローラ（ＳＡ）１０内のＣＰＵ（Central Processing Unit）への電源供給を続け、ドラムヘッド６によるドラム回転も続けるなど、つぎに記録動作を開始したり、再生動作を開始したりする際に、記録テープ７の助走時間より長く起動時間を要する回路には電源供給が行われる。たとえば、サーボコントローラ（ＳＶ）１１では、サーボ制御を担うＣＰＵを起動しておくが、このＣＰＵより起動の早いサーボのためのセンサ類に対しては電力を供給しないようにしておく。
【００２７】
これにより、録画、再生の両方の動作に共用される回路部分をセーブ状態としておき、モニタ映像（カメラＥＥ画像）系統への電源供給を行い、省電力を図りつつ録画と再生の切り替え動作を円滑に行うようにしている。
【００２８】
［スタンバイオフモード：ＳＴＢＹＯＦＦ］
スタンバイモードから、さらに電力消費を低減した動作モードであり、ドラムヘッド６に対する電源供給を停止させ、サーボコントローラ（ＳＶ）１１では起動に必要な最小限の回路のみ駆動する（たとえば、上述したサーボ制御を担うＣＰＵをパワーセーブモードで駆動する）。また、録再共用系ブロックであるビデオプロセッサ（ＶＰＲ）４もパワーセーブモードとし、たとえばシステム／オーディオコントローラ（ＳＡ）１０との通信のみ可能とするなど、起動へのある程度の容易性を確保しておく。
【００２９】
このように、ＶＴＲ側の記録再生部Ａ２およびシステムコントロール部Ａ４では、ドラムヘッド６の回転開始時のサーボロックおよびその後の記録テープ７の助走時間までの時間より長く起動時間を要する回路にのみ、電源供給が継続される。なお、ヴューファインダなどにモニタ映像（カメラＥＥ画像）が映し出されていて、コントロールパネル１５の所定ボタンを操作した後の一定時間で、記録あるいは再生動作が可能である。
【００３０】
以上の４つの動作モードは、従来のパワーセーブ方法と共通するところであるが、つぎに、上述したスタンバイオフモード以外に、２つの新規に設定されたパワーセーブモード（ＳＡＶＥ１，ＳＡＶＥ２）について説明する。
【００３１】
［ＶＴＲオフモード：ＳＡＶＥ１］
ＶＴＲオフモードは、カメラ側の最小限の回路ブロックだけに電源供給して、モニタ映像（カメラＥＥ画像）を表示する動作モードである。ここでは、レギュレータ１７ｂの対応するＤＣ／ＤＣコンバータが停止されることによりＶＴＲ側の記録再生部Ａ２への電源供給が完全に停止される。さらに、システムコントロール部Ａ４では、音声データに関連する回路ブロックへの電源供給も停止される。このとき、システムコントローラ（ＳＡ）１０は省電力モードに入って、そのＣＰＵのみがスリープモードで駆動されて、そこでは復帰動作に必要なタスクだけが実行されることになる。したがって、このＶＴＲオフモードは、スタンバイオフモードと比較して、カムコーダでの録画、あるいは再生動作の開始までには時間を要するが、より消費電力がセーブされた状態（第１のパワーセーブモード）となる。
【００３２】
［シャットダウンモード：ＳＡＶＥ２］
このシャットダウンモードでは、カメラコントローラ（ＡＴ）８のＣＰＵ（すなわちメイン制御部）だけがスリープモードで駆動され、モニタ映像（カメラＥＥ画像）は映し出されていない。そのため、主電源（ＰＳ）１６とそこからカメラコントローラ（ＡＴ）８に電源供給しているレギュレータ１７ａ内の特定のＤＣ／ＤＣコンバータだけを動作させており、その他の回路ブロックの動作が全て停止される電力セーブ状態（第２のパワーセーブモード）となる。したがって、この電力セーブ状態では、カメラコントローラ（ＡＴ）８に接続された内部パネル８ａに設けられた限られたキーへの操作だけが受け付けられる。
【００３３】
図３、図４は、パワーセーブモードに係る回路ブロックを示す図である。
図３に示すように、デジタルカメラプロセッサ（ＤＣＰ）３は、プリプロセッサ３１、カメラプロセッサ３２、信号処理回路３３〜３５などから構成されている。
【００３４】
プリプロセッサ３１は、デジタル映像信号を受け入れるための信号処理回路である。カメラプロセッサ３２は、Ａ／Ｄ変換回路（ＡＤ）２から入力された映像信号に対して、ＲＡＭ３２ａに記憶したデータに基づいてγ補正などの非線形処理や輪郭強調、色補正など各種のカメラプロセス処理を施し、この画像信号を、所定の色空間フォーマットの信号（たとえば４：２：２モードのＹＣ信号）に変換する。ここでは例として、いわゆる４：２：２モードのＹＣ（輝度／色差）信号と、４：４：４モードと呼ばれるＲＧＢ信号として出力することができるものとする。
【００３５】
信号処理回路３３は、記録用の映像信号をシリアルデータに変換して出力するとともに、再生用の映像信号をパラレルデータに変換するものである。また、信号処理回路３４は再生映像とカメラ映像のいずれかを選択し、文字などの付加情報を生成する回路であり、信号処理回路３５は、再生用の映像信号をカメラコントロール部Ａ３に出力する信号に変換するための回路である。
【００３６】
図４には、カメラコントローラ（ＡＴ）８、ビデオＤ／Ａコンバータ（ＶＤＡ）９、およびシステム／オーディオコントローラ（ＳＡ）１０の詳細構成を示している。
カメラコントローラ（ＡＴ）８は、主にカメラ信号処理部Ａ１を制御するためのカメラ用ＣＰＵ８ｂと、上述した電力供給状態の異なる動作モードを制御するメイン制御部としてのモード制御ＣＰＵ８ｃとを備え、ビデオＤ／Ａ変換回路（ＶＤＡ）９は、映像および音声信号を変換して出力するための信号処理用のＦＰＧＡ（Field Programmable Gate Array）回路９１を備えている。
【００３７】
カメラコントローラ（ＡＴ）８には、冷却用のファン８２、レンズ信号入力端子８３、リモート信号端子８４、メタ入力端子８５、メモリスロット８６のほか、内部パネル８ａを介してメニューエンタ端子８１ａ、メニュースイッチ８１ｂ、液晶モニタ（ＬＣＤ：Liquid Crystal Display）端子８１ｃ、メイン電源ボタン８１ｄ、およびＶＴＲスタートストップボタン８１ｅなどが接続され、これら端子や機器類との間で授受される制御信号などはカメラ用ＣＰＵ８ｂまたはモード制御ＣＰＵ８ｃで制御される。
【００３８】
ビデオＤ／Ａ変換回路（ＶＤＡ）９は、ヴューファインダへの２つの信号出力端子ＶＦ１，ＶＦ２、映像同期（Ｙ／ＳＹＮＣ／ＶＢＳ）信号の出力端子９２、ＨＤ−ＳＤＩ（High Definition−Serial Digital Interface）信号を取り出してモニタに出力するための端子９３、およびＲＳ２３２Ｃ端子９４などを備えている。
【００３９】
システム／オーディオコントローラ（ＳＡ）１０は、ＶＴＲシステム全体を制御するためのシステムＣＰＵ１００、デジタル音声とアナログ音声との変換を行うオーディオＤ／Ａコンバータ１０１、および映像編集用のタイムコードやタイミング信号などを生成する信号処理用のＦＰＧＡ回路１０２などから構成されている。また、システム／オーディオコントローラ（ＳＡ）１０には、冷却用のファン１０３、表示用ＬＥＤ（Light Emitting Diode）１０４、カセット排出ボタン１０５のほか、コネクタパネル１４を介してＵＳＢ（Universal Serial Bus）端子１４ａ、オーディオ入力端子１４ｂ、音声ボリューム１４ｃ、オーディオ出力端子１４ｄ、タイムコード（ＴＣ）の入出力端子１４ｅ，１４ｆなどが接続されている。
【００４０】
ここで、システムＣＰＵ１００は、カメラコントローラ（ＡＴ）８との間でＣａｍ−ＶＴＲプロトコルなどのコントロール信号をやり取りし、ビデオＤ／Ａコンバータ（ＶＤＡ）９の信号処理回路９１との間で音声出力制御信号をやり取りしている。
【００４１】
したがって、上述した第１のパワーセーブモードであるＶＴＲオフモード（ＳＡＶＥ１）時には、デジタルカメラプロセッサ（ＤＣＰ）３からの画像を信号出力端子ＶＦ１，ＶＦ２を介してヴューファインダに出力するための回路ブロックだけに電源供給され、システム／オーディオコントローラ１０に対しては、システムＣＰＵ１００だけをスリープモードで駆動するための最小限の電源供給だけとなる。なお、主電源（ＰＳ）１６からレギュレータ１７ａ，１７ｂを介して各回路ブロックＡ１〜Ａ４の一部だけに電源供給するには、電源と切断された回路との間をハイインピーダンス状態として、電流の流れ込みを防止すればよい。
【００４２】
図５は、カムコーダの使用形態を説明するモード遷移図である。なお、以下のような動作モードの制御は、カメラコントローラ（ＡＴ）８内のモード制御ＣＰＵ８ｃによって行われる。
【００４３】
カムコーダの主電源（ＰＳ）１６に接続された電源スイッチを操作することにより、カメラコントローラ（ＡＴ）８を始めとする各ブロックが起動されて、電源オフ（ＯＦＦ）の状態からスタンバイモード（ＳＴＢＹ）に移行する。その後、録画ボタンを操作することで録画モード（ＲＥＣ）に移行し、あるいは再生ボタンを操作すれば再生モード（ＰＢ）に移行する。いずれの操作も行わないで、所定時間（たとえば１分程度）が経過すると、スタンバイオフモード（ＳＴＢＹＯＦＦ）に移行する。カムコーダがスタンバイオフモード（ＳＴＢＹＯＦＦ）となった後、再びスタンバイモード（ＳＴＢＹ）に切り替えるためには、たとえばストップボタンを操作すればよい。
【００４４】
その後、このスタンバイオフモード（ＳＴＢＹＯＦＦ）でカムコーダが所定時間（たとえば５分程度）放置されると、さらに低消費電力のＶＴＲオフモード（ＳＡＶＥ１）に自動的に移行する。この状態ではモニタ映像（カメラＥＥ画像）を表示でき、カメラによる画質調整などの各種設定が可能である。
【００４５】
さらに、このＶＴＲオフモード（ＳＡＶＥ１）でカムコーダが所定時間（たとえば１時間程度）放置されると、最も消費電力が少ないシャットダウンモード（ＳＡＶＥ２）に自動的に移行する。なお、モード遷移に要する時間は、カムコーダの使用者により適宜に設定可能であり、さらにシャットダウンモード（ＳＡＶＥ２）への移行を禁止するように設定することもできる。
【００４６】
また、カムコーダがＶＴＲオフモード（ＳＡＶＥ１）、あるいはシャットダウンモード（ＳＡＶＥ２）にあるとき、録画ボタン、再生ボタンのいずれかを操作することで、再びスタンバイモード（ＳＴＢＹ）を経由して録画モード、再生モードに切り替えることが可能である。ただし、シャットダウンモード（ＳＡＶＥ２）では、内部パネル８ａに設けられたキーへの操作のみ有効となる。
【００４７】
なお、いずれの動作モードにおいても、主電源（ＰＳ）１６に接続された電源スイッチへの操作によって電源オフ（ＯＦＦ）の状態に移行することが可能であるが、いずれの場合でも、基本的には必ずスタンバイモード（ＳＴＢＹ）に一旦移行した後、カムコーダ内部の終了処理を実行してから電源オフ（ＯＦＦ）状態に移行する。
【００４８】
このように、実施の形態のカムコーダは、カメラ信号処理部から画像出力（カメラＥＥ画）を生成するとともに、記録再生部を制御するシステムコントロール部のＣＰＵをスリープモードで駆動するＶＴＲオフモード（ＳＡＶＥ１）と、カメラ信号処理部を駆動制御するカメラコントロール部だけに電力供給するシャットダウンモード（ＳＡＶＥ２）とに切り替える電源制御方法を採用したことで、従来のスタンバイオフモード（ＳＴＢＹＯＦＦ）で消費電力が節約できるだけでなく、それ以上にバッテリ消費を少なくできる。また、これらの各動作モードでは、必要のない回路ブロックに対しては対応するＤＣ／ＤＣコンバータが停止されて電源の供給自体が停止されるので、必要最小限の電力消費のみに抑制できる。したがって、限られたバッテリ電力でより長時間にわたってカムコーダの使用が可能になる。
【００４９】
また、これらの新たな動作モードについては、スタジオ内でのテレビ番組制作時のように、撮影開始にあたって緊急性が少ないような状況において、高い電力消費の削減効果が発揮される。特に、ＶＴＲオフモード（ＳＡＶＥ１）を設けたことは、モニタ画像の出力が行われているものの画像記録が行われない状態が長時間にわたって続くような使用条件では、電力消費の削減効果が大きい。
【００５０】
なお、本発明は、カムコーダのようなカメラ一体型記録再生装置に適用されるだけでなく、ビデオカメラ部が別装置として用意された画像記録再生装置においても有効である。その場合、画像記録再生装置のシャットダウンモード時には、システム／オーディオコントローラ（ＳＡ）１０のシステムＣＰＵ１００だけをスリープモードで駆動しておくことによって、録画ボタン、あるいは再生ボタンなどのキー操作が有効に受け付けられ、スタンバイモードに移行できるようになる。
【図面の簡単な説明】
【００５１】
【図１】実施の形態に係るカムコーダの主要構成を示すブロック図である。
【図２】カムコーダの動作モード別の電力供給状況を示す図である。
【図３】パワーセーブモードに係る回路ブロックを示す図である（その１）。
【図４】パワーセーブモードに係る回路ブロックを示す図である（その２）。
【図５】カムコーダの使用形態を説明するモード遷移図である。
【符号の説明】
【００５２】
Ａ１……カメラ信号処理部、Ａ２……記録再生部、Ａ３……カメラコントロール部、Ａ４……システムコントロール部、１……カメラヘッドブロック（ＣＨＢ）、２……Ａ／Ｄ変換回路（ＡＤ）、３……デジタルカメラプロセッサ（ＤＣＰ）、４……ビデオプロセッサ（ＶＰＲ）、５……イコライザ／ＥＣＣ回路（ＥＱ／ＥＣＣ）、６……ドラムヘッド、７……記録テープ、８……カメラコントローラ（ＡＴ）、９……ビデオＤ／Ａコンバータ（ＶＤＡ）、１０……システム／オーディオコントローラ（ＳＡ）、１１……サーボコントローラ（ＳＶ）、１２……センサ回路、１３……メカデッキ（ＭＤ）
【図１】
2008147909.tif 000003
【図２】
2008147909.tif 000004
【図３】
2008147909.tif 000005
【図４】
2008147909.tif 000006
【図５】
2008147909.tif 000007